(57)【要約】      （修正有）【課題】木漏れ日のように光の光量が不規則に変動する揺らぎ光を生成する揺らぎ光生成装置を提供する。【解決手段】揺らぎ光生成装置の光搬送路１内に、ファン９によって生じる風によって揺動する揺動体が設けられている。揺動体は、ばね性を持つ棒状又は板状部材３に紐４を介して設けられた光反射部材５を有する。また、揺動体に対して光進行方向後方に、複数の光反射面を持つ光反射体８が設けられている。上記風によって揺動体が有する光反射部材５が不規則に動き、光反射部材５で反射する光の反射方向が不規則に変動する。上記反射方向が不規則に変動する反射光が光反射体８で分割して複数の方向に反射し、放光口２から揺らぎ光として放射される。【選択図】図１
0003144716.tif 000002
【実用新案登録請求の範囲】
【請求項１】
揺らぎ光を生成する揺らぎ光生成装置であって、
内面が鏡面部材で構成された光搬送路内に、風によって揺動する揺動体が設けられており、上記揺動体は、一端が固定されたばね性を持つ棒状又は板状部材に紐を介して設けられた光反射部材を有し、該揺動体に対して光進行方向後方に、複数の光反射面を持つ光反射体が設けられ、
上記光反射体は、光の搬送方向に平行な鏡面を有し、上記光の搬送方向に垂直な方向に該光反射体を切ったときの断面が、多角形もしくは複数の多角形が組み合わされた形状を有する
ことを特徴とする揺らぎ光生成装置。
【請求項２】
上記風は、ファンによって生ずる風である
ことを特徴とする請求項１記載の揺らぎ光生成装置。
【請求項３】
上記紐に重りが設けられている
ことを特徴とする請求項１又は請求項２記載の揺らぎ光生成装置。
【請求項４】
上記棒状又は板状部材が、超弾性合金である
ことを特徴とする請求項１、２、又は請求項３記載の揺らぎ光生成装置。
【請求項５】
上記紐に風受けが設けられている
ことを特徴とする請求項１、２、３又は請求項４記載の揺らぎ光生成装置。
【請求項６】
上記光反射体が、上記揺らぎ光生成装置内において揺動及び／又は上下動するように懸架されている
ことを特徴とする請求項１、２、３、４、又は請求項５に記載の揺らぎ光生成装置。
【考案の詳細な説明】
【技術分野】
【０００１】
本考案は、揺らぎ光を生成する揺らぎ光生成装置に関し、特に、やすらぎ感を与える照明を可能とする揺らぎ光生成装置に関するものである。
【背景技術】
【０００２】
近年省エネルギーや二酸化炭素の排出削減による環境保護の必要性が注目されており、この要望に応えるための手段の一つとして、太陽光を内面を反射率の高い部材で構成した光ダクトを介して室内に取込み照明用光源として利用する光ダクト装置が提案されている。例えば、下記の特許文献１の図６には、建物の南側壁面から光を取り込んで室内などの照明に利用する水平型光ダクト装置が開示されている。また、特許文献１の図７には、地下や屋上など採光位置と照明位置の高低差がある場合に光を下方に搬送する部分を持つ垂直型光ダクト装置が開示されている。
【特許文献１】特開２００４−３９３１８号公報
【考案の開示】
【考案が解決しようとする課題】
【０００３】
上記特許文献１の図６、図７において開示されているような光ダクト装置をオフィス内の照明等に利用すれば、エネルギーコストを削減し、快適な執務環境を実現することができる。しかし、例えば、居住空間や、談話室、喫茶室、高齢者のための施設等の照明として利用する場合には、よりやすらぎ感を与える照明が望まれる。従来、光ダクト装置等に適用でき、木漏れ日のように光の光量が不規則に変動する揺らぎ光を居住空間等に照射することによって、やすらぎ感を与える照明を可能とする揺らぎ光生成装置は提案されていなかった。
本考案は、上記事情を考慮してなされたものであって、本考案の目的は、木漏れ日のように光の光量が不規則に変動する揺らぎ光を生成する揺らぎ光生成装置を提供することである。
【課題を解決するための手段】
【０００４】
上記課題を解決するため、本考案においては、次のようにして前記課題を解決する。
（１）揺らぎ光を生成する揺らぎ光生成装置を設ける。内面が鏡面部材で構成された光搬送路内に、風によって揺動する揺動体が設けられており、上記揺動体は、一端が固定されたばね性を持つ棒状又は板状部材に紐を介して設けられた光反射部材を有し、該揺動体に対して光進行方向後方に、複数の光反射面を持つ光反射体が設けられている。また、上記光反射体は、光の搬送方向に平行な鏡面を有し、上記光の搬送方向に垂直な方向に該光反射体を切ったときの断面が、多角形もしくは複数の多角形が組み合わされた形状を有する。
（２）上記風は、ファンによって生ずる風である。
（３）上記紐に重りが設けられている。
（４）上記棒状又は板状部材が、超弾性合金である。
（５）上記紐に風受けが設けられている。
（６）上記光反射体が、上記揺らぎ光生成装置内において揺動及び／又は上下動するように懸架されている。
【考案の効果】
【０００５】
本考案においては、以下の効果を得ることができる。
（１）本考案の揺らぎ光生成装置においては、光搬送路に導入された光が、風によって揺動する揺動体に設けられた光反射部材に反射することによって、該光反射部材に反射する光の反射方向が不規則に変動する。また、本考案の揺らぎ光生成装置においては、上記反射方向が不規則に変動する光が、複数の光反射面を持つ光反射体で複数の方向に分かれて反射する。従って、本考案によれば、揺らぎ光生成装置から放射される照明光の明暗を不規則に変動させ、木漏れ日のように光の光量が不規則に変動する揺らぎ光を室内等に放射することができる。その結果、室内等にいる人間に、木陰にいるのと同様のやすらぎ感を与えることが可能となる。
（２）本考案の揺らぎ光生成装置においては、ファンによって生ずる風が上記揺動体を揺動させる。従って、本考案によれば、室内等に放射される揺らぎ光を人工的に作り出すことができる。
（３）本考案の揺らぎ光生成装置においては、例えば、光反射部材が設けられる紐に重りが設けられている。従って、例えば、各々の紐の異なる位置に重りを設けるようにすれば、風によって各々の紐が異なる周期で揺動する。その結果、各々の紐の同じ位置に重りが設けられている場合と比べて、複雑な揺らぎ光を作り出すことができる。また、上記重りを各々の紐の下端に設けるようにすれば、各々の紐の重心が下がり、揺動周期が大きくなる。その結果、自然な感じで変動する揺らぎ光を室内に放射することができる。
（４）本考案の揺らぎ光生成装置においては、紐を介して光反射部材が設けられた棒状又は板状部材が、超弾性合金である。従って、棒状又は板状部材のへたれを防止することができる。
（５）本考案の揺らぎ光生成装置においては、上記紐に風受けが設けられているので、室内等に放射される揺らぎ光の光量の変動の程度を大きくすることができる。
（６）本考案の揺らぎ光生成装置においては、上記（１）の複数の光反射面を持つ光反射体が、揺らぎ光生成装置内において揺動及び／又は上下動するように懸架されているので、光反射体が光搬送路内面に固定されている場合と比べて、光反射体で多方向に光を反射させることができる。その結果、さらに複雑な揺らぎ光を室内等に放射することが可能となる。
【考案を実施するための最良の形態】
【０００６】
図１は、本考案の揺らぎ光生成装置の構成例を示す図である。図１では、本考案の揺らぎ生成装置が水平型の揺らぎ光生成装置である場合を例にとって説明する。揺らぎ光生成装置は、内面が鏡面部材で構成された光搬送路１を備え、該光搬送路１内に導入された光を導光し、放光口２から室内等に放射する。光搬送路１内への導入光は、自然光でもよいし、ランプ等から出射される人工光であってもよい。該揺らぎ光生成装置は、光搬送路１の内面に一端が固定されたばね性を持つ棒状又は板状部材３に紐４を介して設けられた光反射部材５を有する揺動体を備える。該揺動体は、光搬送路１内に設けられたファン９によって生ずる風によって揺動する。具体的には、風によって、ばね性を持つ棒状又は板状部材３が上下動し、該棒状又は板状部材３に紐４を介して設けられた光反射部材５が不規則に動く。
図１に示す例では、複数本の紐４の各々に重り６と風受け７が設けられており、各々の紐４に設けられている重り６の位置は異なる。また、揺動体に対して光進行方向後方に、複数の光反射面を持ち、光を分割して多方向に反射させる光反射体８が設けられている。図１に示す例では、光反射体８は、光搬送路１内面に固定されている。光反射体８は、光の搬送方向に平行な鏡面を有し、光反射体８を光の搬送方向に垂直な方向に切ったときの断面は、多角形もしくは複数の多角形が組み合わされた形状を有する。
揺らぎ光生成装置が、ファン９が省略された構成をとってもよく、上記揺動体が、光搬送路１内に導入された自然風によって揺動するようにしてもよい。また、上記棒状又は板状部材３が、例えば、ニッケル・チタン合金、ニッケル・チタン・コバルト合金等の超弾性合金であってもよい。棒状又は板状部材３として超弾性合金を用いることにより、棒状又は板状部材３のへたれを防止することができる。
【０００７】
図２及び図３は、光反射体を光の搬送方向に垂直な方向に切ったときの断面の例を示す図である。図２（Ａ）は、図１中の光反射体８を光の搬送方向に垂直な方向に切ったときの断面を示し、図２（Ｂ）、図３（Ａ），（Ｂ）は、本考案の揺らぎ光生成装置に適用可能な他の光反射体の断面の例を示す。光反射体８を光の搬送方向に垂直な方向に切ったときの断面は、複数の多角形が組み合わされた形状を有する。
例えば、図２（Ａ）に示す例では、光反射体８の断面は、断面全体の輪郭が六角形になるように６個の三角形が組み合わされた形状を有する。光反射体８の断面が、図２（Ｂ）に示すように、断面全体の輪郭が三角形になるように６個の三角形が組み合わされた形状を有するようにしてもよい。また、光反射体８の断面が、図２（Ａ）に示すように、断面全体の輪郭が四角形になるように４個の三角形が組み合わされた形状を有するようにしてもよいし、図２（Ｂ）に示すように、断面全体の輪郭が四角形になるように９個の三角形が組み合わされた形状を有するようにしてもよい。
【０００８】
図１に戻って、光搬送路１内に導入された光は、光搬送路１の内面で反射しながら上記揺動体が設けられた領域に搬送され、光反射部材５で反射する。光反射部材５は風によって不規則に動くので、光反射部材５で反射する光の反射方向は、不規則に変動する。上記反射方向が不規則に変動する光が、揺動体に対して光進行方向後方に設けられている光反射体８まで搬送され、該光反射体８が持つ複数の光反射面で分割して複数の方向に反射して、揺らぎ光が生成される。揺らぎ光は、光の光量が木漏れ日のように不規則に変動する光である。そして、揺らぎ光が、光搬送路１に設けられた放光口２まで搬送されて、放光口２から室内等に放射される。
【０００９】
図１に示す揺らぎ光生成装置においては、複数本の紐４の各々に風受け７が設けられているので、風受け７が設けられていない場合と比べて、紐４が大きく揺動し、その結果、放光口２から放射される揺らぎ光の光量の変動の程度を大きくすることができる。また、前述したように、図１に示す例では、複数本の紐４の各々に重り６が設けられており、また、それぞれの紐４に設けられている重り６の位置は異なる。従って、風によって各々の紐４が異なる周期で揺動する。その結果、各々の紐４の同じ位置に重り６が設けられている場合と比べて、揺らぎ光の光量をさらに不規則に変動させることが可能となる。なお、重り６を各々の紐４の下端に設けるようにすれば、各々の紐４の重心が下がり、揺動周期が大きくなる。その結果、自然な感じで光量が変動する揺らぎ光を放光口２から放射することができる。
【００１０】
図４は、揺らぎ光の生成を説明する図である。
なお、図４では、説明の簡略化のために、揺動体が有する紐に設けられている光反射部材５が円盤状である場合を例にとって説明する。光搬送路１（図１を参照）に導入された導入光は、光反射部材５で反射する。光反射部材５は、風によって、図４中の点線の矢印で示すように、例えばａ方向及びｂ方向に揺動する。光反射部材５がａ方向及びｂ方向に揺動することによって、光反射部材５で反射する光（反射光）の反射方向が不規則に変動する。図４中のＯ乃至Ｑは、光反射部材５の揺動に応じて異なる方向に反射する反射光を示す。上記異なる方向に反射する反射光が、光反射体８まで搬送され、該光反射体８が持つ複数の光反射面で分割して複数の方向に反射して、揺らぎ光が生成される。なお、光反射体８での光の分割については、図５を参照して後述する。
【００１１】
図５は、光反射体での光の分割を説明する図である。
図５中の面Ａ及び面Ｂは、図１中に示す光反射体８が有する光反射面である。図５中の光Ｒ、Ｓは、同じ方向に進む光束内の光である。該光束が光反射体８の角の部分に当たることによって、該光束内の光Ｒ、Ｓが分割する。すなわち、光Ｒ、Ｓが、それぞれ、面Ａ、面Ｂに反射して、図５中の矢印に示すように異なる方向に分かれて反射する。
【００１２】
図６は、本考案の揺らぎ光生成装置の他の構成例を示す図である。
図６に示す揺らぎ光生成装置においては、光反射体８が、揺らぎ光生成装置内において揺動及び／又は上下動するように、例えばばね部材１０によって懸架されている。光反射体８が揺動及び／又は上下動することによって、光反射体８が光搬送路１内面に固定されている場合（図１を参照）と比べて、光反射体８で多方向に光を反射させることができる。その結果、放光口２から、さらに複雑な揺らぎ光を放射することが可能となる。
【００１３】
上記図１及び図６では、本考案の揺らぎ光生成装置が水平型の揺らぎ光生成装置である場合を例にとって説明したが、本考案の揺らぎ光生成装置が、例えば図７、図８に示すように、垂直型揺らぎ光生成装置であってもよい。例えば、図７に示す垂直型揺らぎ光生成装置においては、前述した図１に示す揺らぎ光生成装置からの揺らぎ光の放射と同様の原理に従って、放光口２’から室内等に対して揺らぎ光が放射される。すなわち、図７中の光搬送路１’に導入された光が、例えば自然風によって揺動する紐４に設けられた光反射部材５に反射し、該光反射部材５に反射した光が、光搬送路１’の内面に固定されている光反射体８が持つ複数の光反射面で複数の方向に分かれて反射し、光搬送路１’下方に設けられた放光口２’から揺らぎ光として放射される。また、例えば、図８に示す垂直型の揺らぎ光生成装置においては、光反射体８が、両端が光搬送路１に固定された紐１１に設けられたばね部材１０によって、揺動及び／又は上下動するように懸架されている。光反射体８が揺動及び／又は上下動することによって、光反射体８が光搬送路１内面に固定されている場合（図７を参照）と比べて、光反射体８で多方向に光を反射させることができる。その結果、放光口２から、さらに複雑な揺らぎ光を放射することが可能となる。
【図面の簡単な説明】
【００１４】
【図１】本考案の揺らぎ光生成装置の構成例を示す図である。
【図２】光反射体を光の搬送方向に垂直な方向に切ったときの断面の例を示す図（１）である。
【図３】光反射体を光の搬送方向に垂直な方向に切ったときの断面の例を示す図（２）である。
【図４】揺らぎ光の生成を説明する図である。
【図５】光反射体での光の分割を説明する図である。
【図６】本考案の揺らぎ光生成装置の他の構成例を示す図（１）である。
【図７】本考案の揺らぎ光生成装置の他の構成例を示す図（２）である。
【図８】本考案の揺らぎ光生成装置の他の構成例を示す図（３）である。
【符号の説明】
【００１５】
１、１’  光搬送路
２，２’  放光口
３  棒状又は板状部材
４、１１  紐
５  光反射部材
６  重り
７  風受け
８  光反射体
９  ファン
１０  ばね部材
【図１】
0003144716.tif 000003
【図２】
0003144716.tif 000004
【図３】
0003144716.tif 000005
【図４】
0003144716.tif 000006
【図５】
0003144716.tif 000007
【図６】
0003144716.tif 000008
【図７】
0003144716.tif 000009
【図８】
0003144716.tif 000010